(57)【要約】【課題】印刷層２４の見栄えをハッキリとしたものにすること。【解決手段】印刷層２４の周縁部に透明層２５が印刷されているので、印刷層２４の見栄えがハッキリとしたものになる。しかも、印刷層２４そのものにグラデーション印刷を施すことで印刷層２４の見栄えを高める必要がなくなるので、印刷層２４の意匠を設定する場合の制約がなくなる。しかも、透明層２５を傾斜状としたので、透明インクを印刷層２４と同一高さに平坦に印刷する場合に比べて透明インクの使用量が抑えられる。【選択図】図３
2015112390.tif 000002
【特許請求の範囲】
【請求項１】
フィルムと、
前記フィルムの表面に設けられ、前記フィルムの表面から突出する有色な印刷層と、
前記フィルムのうち前記印刷層と同一の表面に設けられ、前記印刷層の周縁部に位置するものであって前記印刷層から遠ざかることに応じて前記フィルムの当該表面に接近する傾斜状の透明層を備えたことを特徴とする加飾フィルム。
【請求項２】
前面および後面を有するフィルムと、
前記フィルムの前面に設けられ、前記フィルムの前面から突出する有色な印刷層と、
前記フィルムの前面に前記印刷層の周縁部に位置して設けられ、前記印刷層から遠ざかることに応じて前記フィルムの前面に接近する傾斜状の透明層と、
前面および後面を有するものであって、当該前面に遊技球が転動可能な遊技領域を有する透明板と、
前記フィルムの前面および前記透明板の後面間を接合するものであって、前から前記透明板を通して前記印刷層を視認可能とする透明な粘着層を備えたことを特徴とするパチンコ遊技機の遊技盤。
【発明の詳細な説明】
【技術分野】
【０００１】
本発明は加飾対象物を加飾する加飾フィルムおよび当該加飾フィルムを備えたパチンコ遊技機の遊技盤に関する。
【背景技術】
【０００２】
加飾フィルムにはフィルムの表面に加飾用の印刷層が形成されたものがある。この印刷層はフィルムの表面に対して突出するものであり、印刷層の表面およびフィルムの表面間には印刷段差が生じている。この加飾フィルムはパチンコ遊技機の透明板の後面に透明な粘着層を介して接合されるものである。この透明板の前面は遊技球が転動可能な遊技領域を有するものであり、透明板の前面には障害釘が打込まれる。
【先行技術文献】
【特許文献】
【０００３】
【特許文献１】特開２０１２−３２６５２号公報
【特許文献２】特開２００８−２９８８３０号公報
【発明の概要】
【発明が解決しようとする課題】
【０００４】
上記加飾フィルムの場合には印刷層の表面およびフィルムの表面間の印刷段差の影響で印刷層の見栄えが低下する。特にパチンコ遊技機の遊技盤の場合には粘着層が印刷段差の部分でフィルムに密着しないので、透明板に障害釘を打込むときに粘着層がフィルムに対する非密着部分から剥がれる虞がある。特許文献１には印刷層そのものの周辺部にグラデーション印刷を施すことで印刷層の見栄えを高めることが記載されている。このグラデーション印刷は印刷層用の色インクのドット密度を印刷層から遠ざかることに応じて段階的に小さくするものであり、印刷層の意匠を設定する上で大きな制約となる。特許文献２にはフィルムの表面に透明インクを印刷することが記載されている。この透明インクは印刷層と同一高さに平坦に印刷されるものであり、使用量が多量となる。
【課題を解決するための手段】
【０００５】
請求項１に記載の加飾フィルムは、フィルムと、前記フィルムの表面に設けられ前記フィルムの表面から突出する有色な印刷層と、前記フィルムのうち前記印刷層と同一の表面に設けられ前記印刷層の周縁部に位置するものであって前記印刷層から遠ざかることに応じて前記フィルムの当該表面に接近する傾斜状の透明層を備えたものである。
【０００６】
請求項２に記載のパチンコ遊技機の遊技盤は、前面および後面を有するフィルムと、前記フィルムの前面に設けられ前記フィルムの前面から突出する有色な印刷層と、前記フィルムの前面に前記印刷層の周縁部に位置して設けられ前記印刷層から遠ざかることに応じて前記フィルムの前面に接近する傾斜状の透明層と、前面および後面を有するものであって当該前面に遊技球が転動可能な遊技領域を有する透明板と、前記フィルムの前面および前記透明板の後面間を接合するものであって前から前記透明板を通して前記印刷層を視認可能とする透明な粘着層を備えたものである。
【発明の効果】
【０００７】
１．請求項１に記載の加飾フィルムおよび請求項２に記載の遊技盤について
印刷層の周縁部に透明層を設けたので、印刷層の見栄えがハッキリとしたものに高まる。しかも、印刷層そのものにグラデーション印刷を施すことで印刷層の見栄えを高める必要がなくなるので、印刷層の意匠を設定する場合に制約を受けることがなくなる。しかも、透明層を傾斜状としたので、透明インクを印刷層と同一高さに平坦に印刷する場合に比べて透明インクの使用量が抑えられる。
２．請求項２に記載の遊技盤について
印刷層の周縁部に傾斜状の透明層を設けたので、粘着層がフィルムの前面および印刷層の前面に加えて透明層の前面にも密着する。従って、粘着層に非密着部分がなくなるので、透明板に障害釘を打込むときに粘着層が非密着部分から剥がれる虞がなくなる。
【図面の簡単な説明】
【０００８】
【図１】パチンコ遊技機の外観を斜め前方から示す図
【図２】遊技盤を前方から示す図
【図３】図２のＸ線に沿う断面図
【図４】印刷層を示す図
【発明を実施するための形態】
【実施例１】
【０００９】
パチンコホールの台島には、図１に示すように、外枠１が設置されている。この外枠１は前面および後面のそれぞれが開口する四角筒状をなすものであり、外枠１には外枠１の前方に位置して内枠２が装着されている。この内枠２には上皿３と下皿４と発射ハンドル５が装着されている。上皿３は賞品として払出される遊技球を受けるものであり、下皿４は上皿３内から溢れた遊技球を受けるものであり、いずれも上面が開口する容器状をなしている。発射ハンドル５は遊技者が前方から手指で操作するものであり、発射ハンドル５が操作された状態では上皿３内の遊技球が上皿３内から弾き出される。
【００１０】
内枠２には、図１に示すように、上皿３の上方に位置して前枠６が装着されている。この前枠６は内枠２の前方に配置されたものであり、前枠６には透明なガラス窓７が固定されている。この前枠６の後方には、図２に示すように、垂直な板状の遊技盤８が配置されている。この遊技盤８は内枠２に固定されたものであり、前枠６のガラス窓７は遊技盤８を前方から視覚的に認識可能に覆っている。
【００１１】
遊技盤８の前面には、図２に示すように、外レール９と内レール１０と球止めゴム１１が固定されており、外レール９および内レール１０間には発射通路１２が形成されている。この発射通路１２は外レール９および内レール１０間の円弧状の隙間を称するものであり、上皿３内から弾き出された遊技球は発射通路１２を通して遊技領域１３内に放出される。この遊技領域１３は外レール９と内レール１０と球止めゴム１１で囲まれた領域のうち発射通路１２を除く残りの領域を称するものである。この遊技領域１３内には前方から複数の障害釘１４が打込まれており、遊技領域１３内に放出された遊技球は障害釘１４に当りながら遊技領域１３内を落下する。
【００１２】
遊技盤８の前面には、図２に示すように、始動口１５および特別入賞口１６が固定されている。始動口１５は上面が開口するポケット状をなすものであり、遊技球が始動口１５内に入賞した場合には大当りであるか否かが判定される。特別入賞口１６は前面が開口する箱状をなすものであり、特別入賞口１６には扉１７が装着されている。この扉１７は左右方向へ指向する軸を中心に閉鎖状態および開放状態間で回転可能にされたものであり、大当りと判定された場合には扉１７が閉鎖状態から開放状態とされる。この扉１７は閉鎖状態で特別入賞口１６の前面を遊技球が入賞不能に閉鎖するものであり、扉１７の開放状態では遊技球が扉１７に乗って特別入賞口１６内に入賞可能になる。
【００１３】
遊技盤８の後方には、図２に示すように、賞球払出し装置１８が固定されており、遊技球が始動口１５内および特別入賞口１６内のそれぞれに入賞した場合には賞球払出し装置１８から上皿３内に単位個数の遊技球が賞品として払出される。遊技盤８には表示台枠１９が固定されている。この表示台枠１９には図柄表示器２０が装着されており、大当りであるか否かが判定された場合には図柄表示器２０に左列の図柄要素と中列の図柄要素と右列の図柄要素のそれぞれの変動表示が開始される。これら３列のそれぞれの図柄要素の変動表示は図柄要素を（１）→（２）→（３）→（４）→（１）・・・の循環的な一定順序で変化させるものであり、大当りと判定された場合には３列の図柄要素の変動表示が停止することで３列の図柄要素が相互に同一な大当りの組合せとなり、大当りでないと判定された場合には３列の図柄要素の変動表示が停止することで３列の図柄要素が相互に同一でない外れの組合せとなる。
【００１４】
遊技盤８は、図３に示すように、透明板２１の後面に加飾フィルム２２を接合してなるものであり、加飾フィルム２２はフィルム２３と印刷層２４と透明層２５から構成されている。この遊技盤８の詳細は次の通りである。
【００１５】
図３のフィルム２３はポリエチレンテレフタレート樹脂を材料とする透明なものであり、フィルム２３の前面には有色な印刷層２４が形成されている。この印刷層２４は、図４に示すように、遊技盤８を加飾する絵柄（１１）を構成するものであり、フィルム２３の前面に有色な色インクをスクリーン印刷することで形成されている。この印刷層２４は前後方向の厚さ寸法が４０μｍに設定されたものであり、フィルム２３の前面に対して前へ突出している。
【００１６】
フィルム２３の前面には、図３に示すように、透明層２５が形成されている。この透明層２５は、図４に示すように、印刷層２４の輪郭線に沿って形成されたものであり、印刷層２４の周縁部に配置されている。この透明層２５は、図３に示すように、印刷層２４の前面を基準に印刷層２４から遠ざかることに応じてフィルム２３の前面に接近する傾斜状をなすものであり、前後方向の厚さ寸法が段階的に薄く設定されている。この透明層２５は幅寸法が３０μｍに設定された透明なものであり、フィルム２３に透明インクをスクリーン印刷することで形成されている。
【００１７】
フィルム２３の前面には、図３に示すように、基材レス両面テープ２６を介して透明板２１の後面が接合されている。透明板２１はポリカーボネート樹脂を材料とするものであり、複数の障害釘１４は前から透明板２１の前面に打込まれ、外レール９と内レール１０と球止めゴム１１と始動口１５と特別入賞口１６と表示台枠１９のそれぞれは透明板２１の前面に前から釘を打込むことで固定され、遊技領域１３は透明板２１の前面に設定されている。
【００１８】
基材レス両面テープ２６は透明な粘着材に剥離ライナーを貼付してなるものであり、粘着層に相当する。この基材レス両面テープ２６は粘着材を保持する基材を持たない透明なものであり、印刷層２４は前から透明板２１および基材レス両面テープ２６を透過して視認可能にされている。この基材レス両面テープ２６はフィルム２３の前面と印刷層２４の前面と透明層２５の前面に密着するものであり、前後方向の厚さ寸法が５０μｍに設定されている。
【００１９】
上記実施例１によれば次の効果を奏する。
印刷層２４の周縁部に透明層２５を設けたので、透明層２５がない場合に比べて印刷層２４の見栄えがハッキリとしたものに高まる。しかも、印刷層２４そのものにグラデーション印刷を施すことで印刷層２４の見栄えを高める必要がなくなるので、印刷層２４の意匠（絵柄）を設定する場合に制約を受けることがなくなる。しかも、透明層２５を傾斜状としたので、透明インクを印刷層２４と同一高さに平坦に印刷する場合に比べて透明インクの使用量が抑えられる。しかも、フィルム２３の前面の全域に透明インクを印刷する場合とは異なり、フィルム２３のうち印刷層２４がない領域の透明度を落とすこともなくなる。
【００２０】
印刷層２４の周縁部に傾斜状の透明層２５を設けたので、基材レス両面テープ２６がフィルム２３の前面および印刷層２４の前面に加えて透明層２５の前面にも密着する。従って、基材レス両面テープ２６に非密着部分がなくなるので、透明板２１に障害釘１４を打込むときに基材レス両面テープ２６が非密着部分から剥がれる虞がなくなる。しかも、基材レス両面テープ２６の前後方向の厚さ寸法を厚くすることで基材レス両面テープ２６の追従性を高め、基材レス両面テープ２６の追従性を高めることで基材レス両面テープ２６を印刷段差の部分でフィルム２３の前面に密着させる必要がなくなる。従って、基材レス両面テープ２６が厚くなることに応じて基材レス両面テープ２６の透明度が低下し、基材レス両面テープ２６の透明度が低下することに応じて印刷層２４の見栄えが低下する虞がなくなる。
【００２１】
一般的にポリカーボネート樹脂はアウトガスを発生する性質がある。このため、ポリカーボネート樹脂製の透明板２１の場合には基材レス両面テープ２６が透明板２１からのアウトガスで膨らむことに応じて基材レス両面テープ２６の透明板２１に対する密着性が低下するので、多孔質の基材レス両面テープ２６が使用される。この多孔質の基材レス両面テープ２６は厚くて透明度が高くないものの、印刷層２４の見栄えの低下が透明層２５の効果で抑えられる。
【００２２】
上記実施例１においては、透明板２１をガラスで成形またはアクリル樹脂にゴムが添加された材料で成形しても良い。
上記実施例１においては、フィルム２３に換えて有色なフィルムを用いても良い。
【００２３】
上記実施例１においては、フィルム２３に印刷層２４をオフセット印刷しても良い。
上記実施例１においては、フィルム２３に透明層２５をオフセット印刷しても良い。
上記実施例１においては、加飾フィルム２２を始動口１５または特別入賞口１６または表示台枠１９等の透明板２１とは異なる加飾対象物に接合しても良い。
【符号の説明】
【００２４】
８は遊技盤、１３は遊技領域、２１は透明板、２２は加飾フィルム、２３はフィルム、２４は印刷層、２５は透明層、２６は基材レス両面テープ（粘着層）である。
【図１】
2015112390.tif 000003
【図２】
2015112390.tif 000004
【図３】
2015112390.tif 000005
【図４】
2015112390.tif 000006